(57)【要約】【課題】  運転中にサイドウインドー側からの日差しの遮断するためにサンバイザーを運転者の顔前面を揺動させて操作するという安全運転に阻害となる危険行為を払拭し、且つ、自動車の走行方向に変化により変わる日差しを前面、側面の両面に亘って遮断することの出来る自動車用サンバイザーを提供する。【解決手段】  サンバイザーの支持杆３を運転者では正面に向かって左側（助手席では右側）に持ち、サンバイザーに収納した補助部材２である補助用サンバイザーを引き出し式にすることにより、この課題を解決する。【選択図】    図３
2017087964.tif 000002
【特許請求の範囲】
【請求項１】
支持する支持杆を車の中心側取り付けたサンバイザー本体と、該サンバイザー本体内部にサイドウインドー側に引き出し且つ収納可能に取付けた可動式の補助サンバイザーとを備え、補助サンバイザーをサイドウインドーに沿って湾曲する構造を持たせることでサイドウインドー側からの光を遮断する仕組みを持つ自動車用サンバイザー。
【発明の詳細な説明】
【技術分野】
【０００１】
本発明は、自動車の運転者や助手席の前方上部に配備される引き出し式補助用遮光板を有する自動車用のサンバイザーに関するものである。
【背景技術】
【０００２】
自動車用のサンバイザーは、運転者及び助手席の同乗者が太陽の日差しを遮断するために主に使用されており、視界を確保して安全運転を図ったりすることなどに役立っている。
【０００３】
従来、この種の自動車用のサンバイザーは、自動車の天井に取り付けられていて、使用する必要がない時は天井に重なり合う退避位置に収納することが出来、使用する必要が生じた時には、退避位置から下ろしてフロントウインドー上部からの日差しを遮断させたり、退避位置からサイドウインドー側に揺動させてサイドウインドー上部からの日差しの遮断をしていた。
【先行技術文献】
【特許文献】
【０００４】
フロントウインドー側又はサイドウインドー側でのみ日差しを遮断させたり、フロントウインドー側とサイドウインドー側の両方で日差しの遮断できるように支持杆で揺動変位可能な補助部材を備えた自動車用サンバイザーも発明されている。
【特許文献１】特開２００２−１１４０３１号  公報
【０００５】
また、スライドレールにより自動車の天井部に収納することの出来るスライド式サンバイザーをフロント側及びサイドウンイドー側に個々に有し、フロント側及びサイド側の日差しを同時に遮光する自動車用サンバイザーの取り付け構造が発明されている。
【特許文献２】特開平５−２７８４６３号  公報
【発明の開示】
【発明が解決しようとする課題】
【０００６】
従来の自動車用サンバイザーはフロントウインドー側の日差しの遮断を基本とされており、サイドウインドー側に対してはフロントウインドー側の日差し遮断のために下ろしたサンバイザーをサイドウインドー側に揺動させて日差しの遮断を行っており、走行方向の変化による日差しの方向変更に対応するためには頻繁に操作をする必要があった。
【０００７】
また、運転中のサンバイザー揺動操作は運転手の顔面手前で行うことになり、前方確認不備等の自動車用安全運転操作の支障となっており、サンバイザー操作時に運転者の視界を阻害することなく、且つ、安全に操作できる自動車用サンバイザーを提供することを目的とする。
【課題を解決するための手段】
【０００８】
本発明は運転手の適切且つ安全な運転操作への視界閉鎖、ハンドル操作不備等の支障を避けるために、揺動を不要とする固定支持杆３の位置を運転席から見て右側としたサンバイザーであり、
【０００９】
サイドウインドーからの日差しを遮断することの出来る補助用引き出し収納式遮光板を有する自動車用サンバイザーとし、
【００１０】
サイドウインドーからの日差しの遮断が不要な場合はサンバイザー本体に収納し、且つ、フロントウインドーからの日差しの遮断が不要な場合は、上部固定支持杆３の機構によりフロントウインドー上部天井面に格納待機させることが出来る。
【００１１】
補助用引き出し収納式遮光板は日差しを遮ることの出来る部材で構成し、サンバイザー本体Ａに収納できる形状を相互に持たせ、収納式遮光板使用時に容易にセット可能なスライド引き出し式とした。
【００１２】
サンバイザー本体Ａ揺動を最小限に抑制するために、曲面形成可能な構造材料及び機構、または、形状記憶材料等の使用により、曲率または角度をもって、容易に固定、且つ、収納することが出来る。
【発明の効果】
【００１３】
本発明は、以上の課題を解決し、サイドウインドーからの日差し遮断の使用時に自動車用サンバイザー本体Ａを運転者の顔前面での危険な揺動操作なしに補助用サンバイザーを引き出し、サイドウインドー側からの日差しの遮断を容易に行うことが出来、安全運転操作への障害を払拭することが出来る。
【００１４】
併せて、運転中に頻繁に入れ替わるであろうフロントウインドーからの日差しにも同時に、または、引き出し式補助用サンバイザーを収納することでフロントウインドー側からの日差しに単独で対応することも出来る。
【図面の簡単な説明】
【００１５】
【図１】本発明に係わる自動車サンバイザーの不使用状態を示した概略説明図である。
【図２】上記サンバイザーでフロントウインドー側から差し込む日差しを遮断させる状態を例示した概略説明図である。
【図３】フロントウインドー側とサイドウインドー側から差し込む日差しを遮断させる状態を例示した概略説明図である。
【図４】引き出し式補助用サンバイザー２をサンバイザー本体Ａから引き出した状態で使用した場合のサンバイザー本体Ａの立面図である。
【図５】引き出し式補助用サンバイザーをサンバイザー本体から引き出した状態で使用した場合のサンバイザー本体Ａの断面図である。
【発明を実施するための形態】
【００１６】
自動車の走行方向に変化により変わる日差しを前面、側面の両面に亘って遮断することの出来る自動車用サンバイザーを実現した。
【実施例１】
【００１７】
図１は、本発明に係わる自動車用サンバイザーの不使用状態を示した概略説明図、図２は、上記サンバイザーでフロントウインドーから差し込む日差しを遮断させる状態を例示した概略説明図、図３は、フロントウインドー側とサイドウインドー側からの差し込む日差しを遮断させる状態を例示した概略説明図である。
【００１８】
また、図４は、引き出し式補助用サンバイザーをサンバイザー本体Ａから引き出し状態で使用した場合のサンバイザー本体Ａの立面図、図５は、その断面図である。
【００１９】
図１、図２、図３を参照して本発明に係わる引き出し式補助用遮光板を有する自動車用サンバイザーＡの機能を説明する。このサンバイザーＡは、横長板状の主部材１と補助部材２に示す引き出し式補助用サンバイザーとを有している。自動車のフロントウインドーＦＷの直上の中央部寄りの天井ＲＦに支持杆３が取り付けられており、この支持杆３は従来より周知の機能構造を有し、主部材１を上下方向と水平方向の揺動させることが出来、上下方向揺動により図１の天井に重なり合うように収納された状態から、図２のフロントウインドー側から日差しを遮断する任意位置に位置させておくことが出来ると共に、水平方向の揺動によって主部材１を左側に固定として右手前方向の任意位置に位置させておくことが出来る。
【００２０】
主部材１の本体にサイドウインドー側を引き出し部として補助部材２が挿入されている。このため、補助部材２をサンバイザーＡの本体部に格納すれば、図１のように天井に重なり合うようにサンバイザーＡを待機位置に収納することが出来、サイドウインドー側からの日差しを遮断する際には、サンバイザーＡの本体部をフロントウインドー側からの日差しを遮断する図２の位置に下方向に揺動回転させ、必要であれば、水平方向にも揺動回転させて任意位置に位置させた後に、図３のように補助部材２を任意の位置に引き出すことによりサイドウインドー側からの日差しを遮断することが出来る。
【００２１】
図４、図５にて本発明に係わる引き出し式補助用遮光板を有する自動車用サンバイザーＡの構造を実施例で説明する。補助部材２は遮光性及び形状記憶性（弾性、反可塑性）を有する機能性材料で構成される。
【００２２】
補助部材２の引き出し端に補助用サンバイザー引き出し取手２aを有し、引き出し摺動部に一定摩擦抵抗を付与しておくことによって任意の位置に引き出し固定出来る。
【００２３】
主部材１の内部に収納された補助部材２の他端にスライドストッパー突起２ｂを主部材１の引き出し端に設けたスライドストッパー部１aに当てることで補助部材２の引き出し端とする。
【００２４】
主部材１の引き出し口部に任意の角度を有する補助部材２の引き出し方向を固定する補助用サンバイザー引き出しガイド部１ｂを有し、主部材１の面に対して任意の角度で補助部材２を引き出すことが出来、併せて、支持杆３の水平方向の揺動機能によって主部材１を水平方向の任意位置に位置付けることにより、補助部材２によるサイドウインドー側から日差しの最適な遮断が可能になる。
【産業上の利用可能性】
【００２５】
本発明に係わる引き出し式補助用遮光板を有する自動車サンバイザーは、工業用に量産することが可能であることにより、産業上の利用可能性を有するものである。
【符号の説明】
【００２６】
Ａ    サンバイザー本体
１    主部材
１ａ  スライドストッパー部
１ｂ  補助用サンバイザー引き出しガイド部
２    補助部材（引き出し式補助用サンバイザー）
２ａ  補助用サンバイザー引き出し取手
２ｂ  スライドストッパー突起
３    支持杆
４    ホルダー
ＦＷ  フロントウインドー
ＳＷ  サイドウインドー
ＲＦ  天井
【図１】
2017087964.tif 000003
【図２】
2017087964.tif 000004
【図３】
2017087964.tif 000005
【図４】
2017087964.tif 000006
【図５】
2017087964.tif 000007